(57)【特許請求の範囲】
【請求項１】
壁の換気孔部に設けられる筒状部と、この筒状部の先端部に設けられる換気部とから成る換気装置であって、前記筒状部の基端開口縁部には内方へ突出する突片部が設けられ、この突片部には前記基端開口縁部を閉塞するアミ体が着脱自在に設けられており、前記アミ体は板材に開口部を設けた枠部材と、前記開口部に設けられるアミ部材とから成り、前記枠部材には該枠部材の周縁に開口するＬ状の細長孔から成る係止部が設けられ、前記突片部には前記係止部が係止する突起から成る被係止部が設けられ、前記突片部に前記アミ体を添設状態とし前記被係止部を前記係止部の開口先端から挿入して該アミ体を回転させることで該係止部と該被係止部とが係止し該アミ体が該突片部に固定されるように構成されていることを特徴とする換気装置。
【請求項２】
壁の換気孔部に設けられる筒状部と、この筒状部の先端部に設けられる換気部とから成る換気装置であって、前記筒状部の基端開口縁部には内方へ突出する突片部が設けられ、この突片部には前記基端開口縁部を閉塞するアミ体が着脱自在に設けられており、前記アミ体は板材に開口部を設けた枠部材と、前記開口部に設けられるアミ部材とから成り、前記枠部材にはＬ状の突起から成る係止部が設けられ、前記突片部には前記係止部を挿入する孔から成る被係止部が設けられ、前記突片部に前記アミ体を添設状態とし前記係止部を前記被係止部に挿入して該アミ体を回転させることで該係止部と該被係止部とが係止し該アミ体が該突片部に固定されるように構成されていることを特徴とする換気装置。
【請求項３】
請求項１，２いずれか１項に記載の換気装置において、前記枠部材には摘み部が設けられていることを特徴とする換気装置。
【請求項４】
請求項１〜３いずれか１項に記載の換気装置において、前記突片部は前記筒状部に一体成形されたものであることを特徴とする換気装置。
【発明の詳細な説明】
【技術分野】
【０００１】
本発明は、換気装置に関するものである。
【背景技術】
【０００２】
従来から、建物の壁の換気孔部に設けられる筒状部と、この筒状部の先端部（屋外側の端部）に設けられる換気部とから成る換気装置として、虫や鳥などの侵入を防止するアミ体を備えた換気装置が提案されているが、例えばこのアミ体を目詰まりなどの理由から交換する場合、その都度、換気装置を取り外して行わなければならず極めて大変であった。特に足場を必要とする高所に換気装置が設置されている場合には一層大変であった。
【０００３】
そこで、従来においても、例えば特開２０１１−２４２０８１号に開示されるようなアミ体を有する換気装置（「以下、従来例）が提案されている。
【０００４】
この従来例のアミ体は、全体が湾曲形状に形成され撓み変形するように構成されたものであり、換気装置への装着に際しては、筒状部の基端側（屋内側）から縮小させたアミ体を押込んで該筒状部内を屋外側へ移動させ、換気部まで到達した時点で拡張させ、周縁部を換気部に係止させて固定するものである。
【０００５】
従って、従来例のアミ体であれば、換気装置に対して屋内側から装着できる為、前述した換気装置が高所に設置されていても厄介ではない。
【先行技術文献】
【特許文献】
【０００６】
【特許文献１】特開２０１１−２４２０８１号公報
【発明の概要】
【発明が解決しようとする課題】
【０００７】
しかしながら、従来例のアミ体は、その構造上、換気装置に装着する際には傾かないように真っ直ぐ押し込まなければならず厄介である。
【０００８】
しかも、従来例は、これまで使用してきたアミ体を換気装置から取り外す際には、穴を開けるなど壊してから引き出すか、屋外側からドライバーなどの棒状のもので押し込んで外すことになるが、いずれの場合であってもアミ体に穴が開いてしまうなどしてしまい（網目がくずれ、防虫の役目を果たさない）、結局、これまで使用していたアミ体を洗浄して目詰まり解消後、再度使用しようとしても必ず再使用できるとはいえなかった。
【０００９】
本発明者は、アミ体を備えた換気装置について開発を進め、従来にない画期的な換気装置を開発した。
【課題を解決するための手段】
【００１０】
添付図面を参照して本発明の要旨を説明する。
【００１１】
壁31の換気孔部31ａに設けられる筒状部１と、この筒状部１の先端部に設けられる換気部２とから成る換気装置であって、前記筒状部１の基端開口縁部１ａには内方へ突出する突片部４が設けられ、この突片部４には前記基端開口縁部１ａを閉塞するアミ体３が着脱自在に設けられており、前記アミ体３は板材に開口部３ａ’を設けた枠部材３ａと、前記開口部３ａ’に設けられるアミ部材３ｂとから成り、前記枠部材３ａには該枠部材３ａの周縁に開口するＬ状の細長孔から成る係止部５が設けられ、前記突片部４には前記係止部５が係止する突起から成る被係止部６が設けられ、前記突片部４に前記アミ体３を添設状態とし前記被係止部６を前記係止部５の開口先端から挿入して該アミ体３を回転させることで該係止部５と該被係止部６とが係止し該アミ体３が該突片部４に固定されるように構成されていることを特徴とする換気装置に係るものである。
【００１２】
また、壁31の換気孔部31ａに設けられる筒状部１と、この筒状部１の先端部に設けられる換気部２とから成る換気装置であって、前記筒状部１の基端開口縁部１ａには内方へ突出する突片部４が設けられ、この突片部４には前記基端開口縁部１ａを閉塞するアミ体３が着脱自在に設けられており、前記アミ体３は板材に開口部３ａ’を設けた枠部材３ａと、前記開口部３ａ’に設けられるアミ部材３ｂとから成り、前記枠部材３ａにはＬ状の突起から成る係止部５が設けられ、前記突片部４には前記係止部５を挿入する孔から成る被係止部６が設けられ、前記突片部４に前記アミ体３を添設状態とし前記係止部５を前記被係止部６に挿入して該アミ体３を回転させることで該係止部５と該被係止部６とが係止し該アミ体３が該突片部４に固定されるように構成されていることを特徴とする換気装置に係るものである。
【００１３】
また、請求項１，２いずれか１項に記載の換気装置において、前記枠部材３ａには摘み部８が設けられていることを特徴とする換気装置に係るものである。
【００１４】
また、請求項１〜３いずれか１項に記載の換気装置において、前記突片部４は前記筒状部１に一体成形されたものであることを特徴とする換気装置に係るものである。
【発明の効果】
【００１５】
本発明は上述のように構成したから、前述した従来例に比し、屋内側からアミ体を装着したり取り外したりすることが容易にでき、しかも、アミ体を洗浄したりし、再度使用することも可能となるなど、従来にない作用効果を発揮する画期的な換気装置となる。
【図面の簡単な説明】
【００１６】
【図１】実施例１の使用状態説明図である。
【図２】実施例１を説明する側断面図である。
【図３】実施例１を示す分解斜視図である。
【図４】実施例１の要部の説明図である。
【図５】実施例１の要部の説明図である。
【図６】実施例２の説明図である。
【図７】構成例１の説明図である。
【図８】構成例２の説明図である。
【図９】構成例３の説明図である。
【図１０】構成例４の説明図である。
【発明を実施するための形態】
【００１７】
好適と考える本発明の実施形態を、図面に基づいて本発明の作用を示して簡単に説明する。
【００１８】
本発明に係る換気装置は、壁31の換気孔部31ａに筒状部１を設け、換気部２が壁31の外側に位置する状態とし、屋内側から換気孔部31ａ内にアミ体３を配し、筒状部１の基端開口縁部１ａにアミ体３を装着し、この基端開口縁部１ａをアミ体３で閉塞して設置する。
【００１９】
アミ体３を取り外す場合には、屋内側から換気孔部31ａ内に手を入れてアミ体３を筒状部１から取り外す。
【００２０】
従って、前述したアミ体を変形するなどして筒状部内を通過させる従来例のような構造ではないから、屋内側からアミ体３の着脱が簡易に行える。
【実施例１】
【００２１】
本発明の具体的な実施例１について図１〜５に基づいて説明する。
【００２２】
本実施例は、壁31の換気孔部31ａ（ダクト）に設けられる筒状部１と、この筒状部１の先端部（屋外側の端部）に設けられる換気部２とから成る屋外側用の換気装置であって、筒状部１の基端開口縁部１ａには該基端開口縁部１ａを閉塞するアミ体３が着脱自在に設けられている。尚、換気孔部31ａの屋内側には本体９ａ，開閉構造９ｂ及び蓋体９ｃとから成る屋内側用の換気装置９（通称：レジスター）が設けられる。
【００２３】
以下、本実施例に係る構成各部について詳細な説明をする。
【００２４】
筒状部１は、図１〜３に図示したように適宜な金属製の部材（ステンレス）で形成した筒状体であり、この筒状部１の先端部は後述する換気部２の基端開口部２ａにリベットでカシメて連結されている（若しくは溶接連結される）。
【００２５】
また、筒状部１の基端開口縁部１ａには該基端開口縁部１ａを閉塞するアミ体３が着脱自在に設けられている。
【００２６】
本実施例では、筒状部１の基端開口縁部１ａに内方へ突出する突片部４を環状に設け、この突片部４に、アミ体３に設けた係止部５が着脱自在に係合する被係止部６が設けられている。
【００２７】
具体的には、筒状部１は、有底筒状部材の底部を円形にくり抜いて構成され、この底部の残余の部分が突片部４として構成されており（突片部４は筒状部１に一体成形されている）、この突片部４の外面にして周方向の等間隔位置（三か所）に突出する金属突起から成る被係止部６が設けられている。
【００２８】
この被係止部６に後述するアミ体３に設けられる孔から成る係止部５を被嵌係止することで、筒状部１に対してアミ体３は装着される。
【００２９】
換気部２は、図１〜３に図示したように適宜な金属製の部材（ステンレス）で形成したものであり、正面視方形状のボックス形状体である。
【００３０】
この換気部２の基端部には筒状部１が連結する基端開口部２ａが設けられ、底面部には図示省略の換気窓が複数並設されている。
【００３１】
アミ体３は、図１〜３に図示したように適宜な金属製の部材（ステンレス）で形成したものであり、板材に二つの開口部３ａ’を設けた枠部材３ａと、この枠部材３ａの前記開口部３ａ’に架設されるアミ部材３ｂとから成る。
【００３２】
また、アミ体３は、枠部材３ａの一部を立ち上げて摘み部８が設けられている。
【００３３】
具体的には、各開口部３ａ’を仕切る中央桟部材の左右端部を立ち上げて一対の板材から成る摘み部８が設けられている。
【００３４】
また、アミ体３は、枠部材３ａに前述した三つの被係止部６夫々に係止する三つの係止部５が設けられている。
【００３５】
この係止部５は、枠部材３ａの周縁に開口する鉤状の細長孔を切欠して構成されている。
【００３６】
従って、摘み部８を持ってアミ体３を筒状部１の突片部４に添設状態とし、この係止部５の開口先端から被係止部６を挿入してアミ体３を回転させ、被係止部６を係止部５の基端に抜け止め係止状態とすることで、筒状部１に対するアミ体３の装着が完了する（図４，５参照）。
【００３７】
本実施例は上述のように構成したから、本実施例に係る換気装置を壁31に設置する場合、壁31に設けた換気孔部31ａに筒状部１を設けて、換気部２が壁31の外側に位置する状態で設置する。
【００３８】
この状態で、屋内側から換気孔部31ａ内にアミ体３を配し、筒状部１の基端開口縁部１ａにアミ体３を装着すると該基端開口縁部１ａはアミ体３で閉塞される。
【００３９】
その後、アミ体３を目詰まりなどの理由からメンテナンスする場合、屋内側から換気孔部31ａ内に手を入れて筒状部１から取り外すことができ、また、このアミ体３は再び筒状部１に装着することができる。
【００４０】
よって、本実施例によれば、前述した従来例と異なり、アミ体３を変形するなどして筒状部１内を通過させるような構造ではないから、屋内側からアミ体３の着脱が簡易に行え、しかも、取り外した後も再び装着して利用することができる。
【００４１】
また、本実施例は、筒状部１の基端開口縁部１ａに内方へ突出する突片部４を設け、この突片部４に、アミ体３に設けた係止部５が着脱自在に係合する被係止部６を設けたから、簡易構造で前述した作用効果を確実に発揮することができ、しかも、コスト安にして量産性に秀れることになる。
【００４２】
また、本実施例は、突片部４は前記筒状部１に一体成形されたものであるから、より一層簡易構造故にコスト安にして量産性に秀れることになる。
【実施例２】
【００４３】
本発明の具体的な実施例２について図６に基づいて説明する。
【００４４】
本構成例は、筒状部１に対するアミ体３の着脱構造として別タイプを設けた場合である。
【００４５】
具体的には、図６に図示したように筒状部１の突片部４にスリット状の孔から成る三つの被係止部６を設けるとともに、アミ体３の枠部材３ａに鉤状の金属製突起から成る三つの係止部５を設けている。
【００４６】
この構成から、係止部５を被係止部６に挿入してアミ体３を回転させて抜け止め係止状態とすることで筒状部１に対するアミ体３の装着が完了する。
【００４７】
その余は実施例１と同様である。
【００４８】
［構成例１］
本発明の具体的な構成例１について図７に基づいて説明する。
【００４９】
本構成例は、筒状部１に対するアミ体３の着脱構造として別タイプを設けた場合である。
【００５０】
具体的には、図７に図示したように筒状部１の突片部４に合成樹脂製突起から成る三つの被係止部６を設けるとともに、アミ体３の枠部材３ａに孔から成る三つの係止部５を設けている。
【００５１】
この構成から、係止部５を被係止部６に圧入嵌合係止することで筒状部１に対するアミ体３の装着が完了する。
【００５２】
その余は実施例１と同様である。
【００５３】
［構成例２］
本発明の具体的な構成例２について図８に基づいて説明する。
【００５４】
本構成例は、筒状部１に対するアミ体３の着脱構造として別タイプを設けた場合である。
【００５５】
具体的には、図８に図示したように筒状部１の突片部４とアミ体３とを止着部材10を使って螺着するように設けられた場合である。
【００５６】
その余は実施例１と同様である。
【００５７】
［構成例３］
本発明の具体的な構成例３について図９に基づいて説明する。
【００５８】
本構成例は、筒状部１に対するアミ体３の着脱構造として別タイプを設けた場合である。
【００５９】
具体的には、図９に図示したようにアミ体３の枠部材３ａの内面所定位置に三つの突片12を設けている。
【００６０】
この構成から、この突片12を突片部４の内縁に圧入係止することで筒状部１に対するアミ体３の装着が完了する。
【００６１】
その余は実施例１と同様である。
【００６２】
［構成例４］
本発明の具体的な構成例４について図10に基づいて説明する。
【００６３】
本構成例は、筒状部１に対するアミ体３の着脱構造として別タイプを設けた場合である。
【００６４】
具体的には、図10に図示したように筒状部１の基端開口縁部１ａを径小とし、この径小部に着脱自在に被嵌する筒状の被嵌部７をアミ体３に設けている。
【００６５】
この構成から、筒状部１の基端開口縁部１ａにアミ体３の被嵌部７を被嵌することで筒状部１に対するアミ体３の装着が完了する。
【００６６】
その余は実施例１と同様である。
【００６７】
尚、本発明は、本実施例に限られるものではなく、各構成要件の具体的構成は適宜設計し得るものである。
【符号の説明】
【００６８】
１  筒状部
１ａ  基端開口縁部
２  換気部
３  アミ体
３ａ  枠部材
３ａ’  開口部
３ｂ  アミ部材
４  突片部
５  係止部
６  被係止部
８  摘み部
31  壁
31ａ  換気孔部
【図１】
0006401813.tif 000002
【図２】
0006401813.tif 000003
【図３】
0006401813.tif 000004
【図４】
0006401813.tif 000005
【図５】
0006401813.tif 000006
【図６】
0006401813.tif 000007
【図７】
0006401813.tif 000008
【図８】
0006401813.tif 000009
【図９】
0006401813.tif 000010
【図１０】
0006401813.tif 000011